(57)【要約】【課題】ガス分析装置において、従来に比して試料ガス中の極性ガスの濃度を正確に分析し、さらに極性ガスに対する応答速度を速くする。【解決手段】少なくとも一部が煙道５０内に配置され、試料ガスサンプリング空間２２を有するプローブ管２と、試料ガスサンプリング空間２２を吸引し試料ガスを試料ガスサンプリング空間２２に導入する吸引部（吸引管１０と吸引装置１６）と、プローブ管２の一端に配置され、煙道５０内を流れるガスＳを試料ガスサンプリング空間２２に減圧して導入する試料ガス導入部４と、試料ガスサンプリング空間２２中へ測定光を照射する照射部６２と、試料ガスサンプリング空間２２を通過した測定光を受光する受光部６４とを備える。【選択図】図１
2014002072.tif 000002
【特許請求の範囲】
【請求項１】
煙道内を流れるガス中の極性ガス成分濃度を分析するガス分析装置であって、
少なくとも一部が前記煙道内に配置され、先端部と、試料ガスサンプリング空間とを有するプローブ管と、
前記試料ガスサンプリング空間に接続され、前記煙道内を流れるガスを前記試料ガスサンプリング空間内に吸引して導入するための吸引部と、
前記プローブ管の前記先端部に配置され、前記煙道内を流れるガスを前記試料ガスサンプリング空間に減圧して導入するための試料ガス導入部と、
前記試料ガスサンプリング空間中へ測定光を照射する照射部と、
前記試料ガスサンプリング空間を通過した前記測定光を受光する受光部と、
を備えたガス分析装置。
【請求項２】
前記プローブ管の外壁の、前記試料ガスサンプリング空間に対応した領域に設けられた温度調節部をさらに備えている、請求項１に記載のガス分析装置。
【請求項３】
前記試料ガス導入部は、取り込んだ前記煙道内を流れる前記ガスが通過する際に流量を制限するガス流量制限部を有している、請求項１又は２に記載のガス分析装置。
【請求項４】
前記試料ガス導入部は、粉塵捕獲フィルタを有している、請求項１から３のいずれかに記載のガス分析装置。
【請求項５】
前記試料ガス導入部は、前記プローブ管の前記先端部に設けられた試料ガス導入室と、前記試料ガス導入室から前記煙道内に延びる試料ガス採取部材とを有しており、
前記試料ガス導入室は、前記煙道の圧力以上の圧力で校正用ガスを導入するために用いられる校正用ガス導入口を有している、請求項１から４のいずれかに記載のガス分析装置。
【発明の詳細な説明】
【技術分野】
【０００１】
本発明は、ガス分析装置に関し、特に試料ガス中の極性ガス成分の濃度を分析するガス分析装置に関する。
【背景技術】
【０００２】
発電などのボイラーに設置される脱硝設備において、脱硝設備の適正な動作のために、脱硝設備からのリークアンモニア濃度を低濃度に抑制することが求められている。そして、脱硝装置が適正な運転がなされているかどうかのモニタリングを行う目的で、脱硝設備からのリークアンモニア濃度を分析するための分析装置が開発されている。なお、脱硝装置のリークアンモニアのような低濃度のアンモニア濃度を測定する方法としては、脱硝装置などの煙道からサンプリングした試料ガスのアンモニア濃度を測定する方法が知られている。
【０００３】
上述の試料ガスのアンモニア濃度を測定する方法としては、アンモニアを触媒に接触させて例えば窒素酸化物（ＮＯｘ）に変換して、触媒に接触させて生成した生成物の濃度を化学発光法（ＣＬＤ）により測定する方法や、フーリエ変換型赤外分光法（ＦＴ−ＩＲ）により直接アンモニア濃度を測定する方法、が知られている。
【０００４】
この他、特許文献１及び２には、煙道を流れるガスをサンプリングプローブによりサンプリングし、サンプリングされた試料ガスを試料セルに採取し、試料ガスに光を照射し、アンモニアの吸収スペクトルを利用して試料ガス中のアンモニア濃度を測定する方法が示されている。
【０００５】
また、特許文献３には、試料ガスを加熱管を介して試料セルに導入し、試料セルを負圧に維持して試料ガス中の極性ガス成分（アンモニア、ハイドロカーボン（ＨＣ）など）を測定する方法が示されている。
【０００６】
しかしながら、従来の分析装置のように、煙道などから試料ガスを煙道外部の測定装置へサンプリングする試料ガス中の極性ガス成分の濃度測定方法においては、以下のような問題点がある。
【０００７】
第１に、試料ガスを煙道から試料セルあるいは測定装置まで導入する過程において、試料ガスの温度が低くなると、試料ガス中に共存する極性ガス以外の成分、例えば、硫黄酸化物（ＳＯｘ）や窒素酸化物（ＮＯｘ）などとアンモニアが反応し、生成物が生成される。このように、煙道ガス中の極性ガスが生成物の生成に使用されるので、低濃度のアンモニア濃度を精度よく測定できなくなる。また、生成物が固形の生成物である場合には、生成物が配管内に堆積し、最悪の場合には配管を閉塞してしまう。
【０００８】
第２に、煙道から試料セルあるいは分析装置までの距離が長くなると、試料ガス中の極性ガスなどが配管内壁表面に付着することによって、試料ガスのサンプリングロスが生じる。このサンプリングロスの影響は、特に、極性ガスが低濃度である場合には無視できなくなる。また、煙道から試料セルあるいは分析装置までの距離が長くなると、試料ガスが煙道から試料セルまでに到達する時間が長くなる。この結果、サンプリング開始から極性ガス濃度分析までにかかる時間が長くなる。
【先行技術文献】
【特許文献】
【０００９】
【特許文献１】特許第３９２４０１３号公報
【特許文献２】特開２０１２−８００８号公報
【特許文献３】特開２０１２−２７９９号公報
【発明の概要】
【発明が解決しようとする課題】
【００１０】
本発明の課題は、ガス分析装置において、試料ガス中の極性ガス成分濃度を精度よくかつリアルタイムに測定できるようにすることにある。
【課題を解決するための手段】
【００１１】
本発明の一見地に係るガス分析装置は、煙道内を流れるガス中の極性ガス成分濃度を分析する装置であって、プローブ管と、吸引部と、試料ガス導入部と、照射部と、受光部と、を備えている。プローブ管は、少なくとも一部が煙道内に配置され、試料ガスサンプリング空間を有する。吸引部は、試料ガスサンプリング空間へ流体的に接続され、煙道内を流れるガスを試料サンプリング空間内に吸引して導入する。試料ガス導入部は、プローブ管の一端に配置され、煙道内を流れるガスを試料ガスサンプリング空間に減圧状態で導入可能とする。照射部は、試料ガスサンプリング空間中へ測定光を照射する。受光部は、試料ガスサンプリング空間を通過した測定光を受光する。
この装置では、試料ガスは、吸引部により、煙道内から試料ガス導入部を通って、さらにプローブ管の試料ガスサンプリング空間中に導入される。その状態で、照射部が試料ガスサンプリング空間中へ測定光を照射して、受光部が試料ガスサンプリング空間を通過した測定光を受光する。以上に述べた測定時において、試料ガスが試料ガス導入部を通過する間に、試料ガス導入部の圧損により、試料ガスは減圧されて試料ガスサンプリング空間内に導入される。この結果、減圧になると吸光スペクトルの線幅が細くなることから、極性ガスの吸光スペクトルが干渉成分ガスの影響を受けにくくなる。よって、極性ガスが低濃度であった場合でも極性ガス濃度を正確に測定できる。
さらに、プローブ管の少なくとも一部が煙道内に配置されているので、試料ガスを短い距離で試料ガスサンプリング空間中に取り込むことができる。これにより、極性ガスのサンプリングロスを最小限にでき、その結果、極性ガスが低濃度であった場合でも極性ガス濃度を正確に測定できる。さらに、試料ガスサンプリング開始から試料ガスが試料ガスサンプリング空間内へ到達するまでの時間が短くなるので、極性ガスの濃度をリアルタイムに測定できる。
【００１２】
ガス分析装置は、プローブ管の外壁の、試料ガスサンプリング空間に対応した領域に設けられた温度調節部をさらに備えていてもよい。
この装置では、温度調節部によって、試料ガスサンプリング空間内を一定の温度に保持することができる。したがって、試料ガス中に共存する他の成分（例えば、硫黄酸化物（ＳＯｘ）、窒素酸化物（ＮＯｘ）など）と極性ガスの反応物の生成を抑制することができる。また、測定時の試料ガス温度を、煙道内を流れるガスの温度よりも下げつつ、試料ガス中の極性ガスと上記の共存ガスとの反応物が生成されない温度に確実に制御することができる。これにより、極性ガスの強度に対する干渉ガスのスペクトルの強度を相対的に低下させ、結果的に煙道内でそのまま計測するより高感度で、干渉影響を受けにくい計測が可能となる。よって、極性ガスの濃度を正確に測定することができる。
【００１３】
試料ガス導入部は、取り込んだ試料ガスが通過する際に流量を制限するガス流量制限部を有していてもよい。
この装置では、ガス流量制限部によって、試料ガス導入部の圧損をさらに大きくできる。これにより、試料ガスサンプリング空間の圧力が煙道内の圧力変化の影響を受けにくくなり、試料ガスサンプリング空間の圧力を一定に保つことができ、かつ、試料ガスサンプリング空間の圧力をさらに減圧できる。つまり、圧力による測定値の影響が少なくなり、その結果、低濃度の極性ガスの濃度を正確に測定できる。
【００１４】
試料ガス導入部は、粉塵捕獲フィルタを有していてもよい。
粉塵捕獲フィルタは、煙道内を流れるガス中に含まれる粉塵成分を捕獲する。したがって、粉塵成分が試料ガスサンプリング空間内へ導入されにくくなる。これにより、光学系の汚染を抑制でき、また、測定光が粉塵により乱反射を起こすことを防ぐことができる。以上の結果、極性ガスの濃度を正確に測定できる。
【００１５】
試料ガス導入部は、プローブ管の一端に設けられた試料ガス導入室と、試料ガス導入室から煙道内に延びる試料ガス採取部材とを有していてもよい。試料ガス導入室は、煙道の圧力以上の圧力で校正用ガスを導入するために用いられる校正用ガス導入口を有していてもよい。
この装置では、校正用ガス導入口から試料ガス導入室に校正用ガスが導入されると、校正用ガスは試料ガスサンプリング空間内に流れる。この状態で、実ガス（極性ガス、試料ガスの主成分ガスなど）によるガス分析装置の校正（ゼロ点補正、スパン校正など）が行われる。なお、以上の校正は、ガス分析装置を煙道から取り外すことなく、行われる。
【発明の効果】
【００１６】
本発明に係るガス分析装置では、極性ガスが低濃度であった場合でも正確に極性ガス濃度を測定することができる。また、極性ガスの濃度をリアルタイムに測定できる。
【図面の簡単な説明】
【００１７】
【図１】本発明の第１実施形態に係るガス分析装置の模式的断面図
【図２】本発明の第１実施形態に係るガス分析装置の要部拡大断面図
【図３】本発明の第１実施形態に係るガス分析装置の試料ガス導入部の拡大断面図
【図４】本発明の第１実施形態に係るガス分析装置の他の試料ガス導入部の拡大断面図
【発明を実施するための形態】
【００１８】
（１）ガス分析装置
図１は、本発明の第１実施形態に係るガス分析装置１００の構成を示す断面図であり、図２は、ガス分析装置１００の要部拡大図である。
ガス分析装置１００は、煙道５０内を流れるガスＳ内の極性ガスの濃度分析を行う装置である。なお、極性ガスの一例としては、ＮＨ３がある。また、煙道５０は、例えば、発電プラントの燃焼ボイラーから煙突までのガス通路である。
【００１９】
図１に示すように、ガス分析装置１００は、主に、プローブ管２と、試料ガス導入部４と、光学ユニット６と、分析部８とを備えている。ガス分析装置１００は、さらに、吸引管１０と、ブローバックガス導入管１２と、吸引装置１６と、ガス供給装置１８とを備えている。
【００２０】
プローブ管２は、筒状の部材であり、煙道５０内のガスＳの流れ方向に直交する方向に延びている。次に、プローブ管２の取付位置を説明する。煙道５０には、煙道５０の側壁を形成する煙道側壁５１が形成されている。煙道側壁５１は断熱材から構成されている。煙道側壁５１の一部には、ガスＳの流れ方向に直交する孔部５１ａが形成されている。孔部５１ａの周囲には、煙道５０から離れる方向に延びる筒状部材５２が設けられている。プローブ管２は、概ね、煙道側壁５１の孔部５１ａ及び筒状部材５２内に収納されている。プローブ管２の基端側にはフランジ２０が固定されており、フランジ２０が筒状部材５２の先端に固定されている。なお、プローブ管２の外周側の空間は、煙道５０内と連通しており、煙道５０の一部である。
このようにプローブ管２が煙道側壁５１の部分に配置されているので、ガス分析装置１００の占有空間が小さくなる。
プローブ管２の構造は後に詳細に説明する。
【００２１】
光学ユニット６は、プローブ管２の基端側に設けられている。光学ユニット６は、測定光を送受光するための装置であり、照射部６２と受光部６４とを備えている。
照射部６２は、プローブ管２の試料ガスサンプリング空間２２にある試料ガスに向けて測定光となる光を照射する光源であり、所定波長域の光を照射するレーザ発信装置などで構成できる。受光部６４は、試料ガスサンプリング空間２２に導入された試料ガスを通過した測定光を受光するための受光素子である。
【００２２】
光源にレーザ光源を用いる場合、レーザ光源としては、特に、量子カスケードレーザ（ＱＣＬ）を用いることが好ましい。ＱＣＬ素子は、一定間隔の電流パルスによりレーザ光を発振するものであり、レーザ素子からの発振波数は温度に依存するため、結果的に発振波数はある狭い波数範囲でのスキャンを繰り返す。このＱＣＬを用いた吸光光度法（ＱＣＬ−ＩＲ法）では、目的とする成分の吸収ピーク位置がこの範囲内に入るように、発振中心波数を調整した素子を使用する。
【００２３】
なお、減圧した試料ガスサンプリング空間２２では、試料ガス中のアンモニア等の吸着性ガス成分の密度が小さく、その吸収ピークが小さくなり、感度が下がってしまう。しかしながら、近赤外領域の発振波長（パルス幅は、例えば、５００ｎｓｅｃ．）を有するＱＣＬを用いることで、吸収ピークを大きくすることができ、減圧下においても感度を低下させることなく、吸着性ガス成分の濃度を測定でき高速応答が可能となる。
【００２４】
また、試料ガスサンプリング空間２２にコーナーキューブなどの光反射手段が設けられている場合、光の反射により試料ガスサンプリング空間２２内での光路長を長くすることができ、検出信号を大きくすることができ、検出感度を向上させることができる。特に、試料ガスに含まれるアンモニア等の低濃度ガスの濃度測定において有効である。
また、レーザ光源は波長可変の単色光であるので、分光器等を必要としないので、装置の設置が大掛かりにならずに済むので、プローブ管２を煙道側壁５１の部分に設置して、ガス分析装置１００の占有空間を小さくすることができる。
【００２５】
分析部８は、光学ユニット６に接続され、光学ユニット６の受光部６４の出力信号に基づいてガスＳ中の極性ガスの濃度の分析を行う機能を有している。分析部８は、吸引装置１６と、ガス供給部１８と、温度コントローラ２４１などと接続され、ガス分析装置１００の制御も行う。
【００２６】
分析部８は、端末とインターフェース部（いずれも不図示）により構成される。端末は、測定条件の設定、ガス分析装置に対する制御信号の出力、及びガス分析装置の受光部６４の出力信号に基づいて極性ガスの濃度分析を行う。インターフェース部は、端末とガス分析装置１００に接続され、端末からのガス分析装置１００に対する制御信号を受信し、端末からの制御信号をガス分析装置専用の制御信号に変換しガス分析装置（光学ユニット６、吸引装置１６、及びガス供給部１８）に送信したり、ガス分析装置の受光部６４の出力信号（アナログ信号）を受信し、アナログ信号をデジタル信号に変換し、端末へ送信したりする。
【００２７】
変形例として、分析部８は、上記インターフェース部を光学ユニット６中に備え、光学ユニット６と端末をＬＡＮや光ファイバーなどにより接続するような構成をとっていてもよい。また、光学ユニット６中に上記インターフェース部と無線通信手段とを備え、光学ユニット６と端末とを無線ＬＡＮやＷｉ−Ｆｉなどの無線通信により通信するような構成をとってもよい。
【００２８】
試料ガス導入部４は、試料ガスサンプリング空間２２に、煙道５０内を流れるガスＳ又は校正用ガスが導入する構造である。試料ガス導入部４は、プローブ管２の先端に設けられている。試料ガス導入部４は、試料ガスサンプリング空間２２と導通している。試料ガス導入部４については後に詳細に説明する。
【００２９】
試料ガスサンプリング空間２２のプローブ管２の基端部側の壁２６は、全部又は一部に光学的に透明な部材を備えている。壁２６の光学的に透明な部材としては、例えば、石英、サファイア、フッ化カルシウム（蛍石）などの透明部材を用いることができる。また、測定光を所定の光路で入射するために、壁２６の透明部材は、必要に応じて凹レンズ、凸レンズ、又は凹凸レンズ状などの形状に形成されていてもよい。
【００３０】
また、試料ガスサンプリング空間２２には、光反射手段２８が設けられている。光反射手段２８は、プローブ管２の先端側に配置され、光学ユニット６の照射部６２から照射され、試料ガスサンプリング空間２２中の試料ガスを通過した測定光を反射する。光反射手段としては、例えば、コーナーキューブや反射板などを用いることができる。
【００３１】
温度調節部２４は、試料ガスサンプリング空間２２中の試料ガスの温度を一定に調節するための装置である。温度調節部２４は、プローブ管２の外壁の、試料ガスサンプリング空間２２に対応した領域に設置されている。温度調節部２４には、温度コントローラ２４１が接続されており、温度コントローラ２４１は、試料ガスサンプリング空間２２の温度を一定にするように、温度調節部２４を制御する。温度調節部２４は、ヒーターなどの加熱手段のみを備えていてもよいし、加熱手段と冷却手段の両方を備えていてもよい。冷却手段としては、例えば、プローブ管２の外壁にガス配管をコイル状に巻きつけて、当該ガス配管に冷却ガスを流してプローブ管２の外壁を冷却する手段を用いることができる。
【００３２】
吸引管１０は、試料ガスサンプリング空間２２を吸引するための部材である。吸引管１０は、一端がプローブ管２の試料ガスサンプリング空間２２に対応する部分（吸引口）に接続され、他端が吸引装置１６に接続されている。ここでは、吸引管１０と吸引装置１６をあわせて、吸引部と呼ぶこともある。
【００３３】
吸引装置１６としては、例えば、ロータリーポンプ、ダイアフラムポンプなどのメカニカルポンプや、アスピレーターなどを用いることができる。また、吸引装置１６は、試料ガスサンプリング空間２２の圧力に応じて吸引装置１６の吸引力を調整するために、電磁弁などの流量調整機構を備えていてもよい。
【００３４】
ブローバックガス導入管１２は、試料ガス導入部４の粉塵捕獲フィルタ４６（後述）に捕獲された粉塵を、粉塵捕獲フィルタ４６から除去するための部材である。ブローバックガス管１２の一端は、プローブ管２の試料ガスサンプリング空間２２に対応する部分（ブローバックガス口）に設けられ、試料ガス導入部４の試料ガスサンプリング空間２２側のガス出口の近傍に設置されている。ブローバックガスの圧力は煙道５０内の圧力以上に設定されている。
【００３５】
試料ガス導入部４は、特に、煙道５０内で用いられる場合、腐食性物質を含有するガスに直接さらされることがある。したがって、試料ガス導入部４は、耐蝕性と耐熱性とを備える素材により形成されている。試料ガス導入部４を形成する素材として、例えば、ＳＵＳ３０４（オーステナイト系ステンレス）のようなステンレスを用いることができる。その他、表面にセラミックコーティングを施したステンレスなどを用いることもできる。
【００３６】
試料ガス導入部４は、図３に示すように、試料ガス導入室４１と、試料ガス採取部材４２と、校正用ガス導入管４４と、粉塵捕獲フィルタ４６と、ガス流量制限部４８とを備えている。
【００３７】
試料ガス導入室４１は、試料ガス採取部材４２と校正用ガス導入管４４に接続されている。試料ガス導入室４１には、ガスＳ中の所定成分の濃度分析を行うときには、試料ガス採取部材４２からガスＳが導入され、ガス分析装置１００の校正を行うときは、校正用ガス導入管４４から校正用ガスが導入される。
【００３８】
試料ガス採取部材４２は、煙道５０内のガスＳを、試料ガスとして試料ガス導入部４の試料ガス導入室４１へ導入するための筒状部材である。試料ガス採取部材４２は、試料ガス導入部４の先端部に設置され、煙道５０内を流れるガスＳの流路に対し略垂直に煙道５０内に伸びている。
【００３９】
校正用ガス導入管４４は、校正用ガスを試料ガス導入室４１へ導入するための部材である。校正用ガス導入管４４は、図１に示すように、一端が試料ガス導入室４１の途中部分（校正用ガス導入口）に接続され、他端がガス供給部１８の校正用ガス供給口（不図示）に接続されている。ガス供給部１８から供給される校正用ガスの圧力は、ガス分析装置１００の校正中に、煙道５０内を流れるガスＳがガス分析装置１００のプローブ管２に導入されることを防ぐため、煙道５０内のガス圧力以上に設定されている。
【００４０】
粉塵捕獲フィルタ４６は、試料ガスや校正用ガス中の粉塵を通過させないための部材である。粉塵捕獲フィルタ４６は、試料ガス導入室４１の試料ガス採取部材４２とは反対側に設置されている。また、試料ガス導入部４は高温の煙道中に配置されるため、粉塵捕獲フィルタ４６に用いられる部材は耐熱性を有する必要がある。よって、粉塵捕獲フィルタ４６の部材としては、例えば、ステンレス製フィルタなどを用いることができる。
【００４１】
ガス流量制限部４８は、試料ガスサンプリング空間２２へのガスの流量を制限し、試料ガス導入部４の圧損を増加させる部材である。ガス流量制限部４８は、粉塵捕獲フィルタ４６の試料ガス導入室４１とは反対側に設置されている。ガス流量制限部としては、例えば、オリフィスを用いることができる。その他、細孔を設けた板や粉塵捕獲フィルタとは別のフィルタなど、ガス流に対して抵抗体となるような部材を用いることができる。
【００４２】
なお、図３では、粉塵捕獲フィルタ４６とガス流量制限部４８は、試料ガス導入室４１からプローブ管２の試料ガスサンプリング空間２２の方向に向かって、粉塵捕獲フィルタ４６、ガス流量制限部４８の順番で設置されていたが、図４の変形例に示すように、ガス流量制限部４８、粉塵捕獲フィルタ４６の順番で設置されていてもよい。この場合、ガス流量制限部４８により試料ガス及び校正用ガスの流量を十分に制限した後に、試料ガス及び校正用ガス中の粉塵が粉塵捕獲フィルタ４６により捕獲される。
【００４３】
また、別の変形例として、ガスが流れる開口部に粉塵フィルタを設置したオリフィスのように、粉塵捕獲フィルタ４６の機能とガス流量制限部４８の機能とを同時に備えた部材を用いてもよい。この場合は部品点数が少なくなる。
【００４４】
（２）濃度分析動作
次に、第１実施形態に係るガス分析装置１００により煙道５０内を流れるガスＳの極性ガス成分の濃度を分析する方法について説明する。
【００４５】
ガス分析装置１００では、ガス分析装置１００の照射部６２から照射された測定光が、プローブ管２の試料ガスサンプリング空間２２中の試料ガスを通過する間に、試料ガス中の極性ガスにより吸収される光量の程度（吸光度）に基づいて、試料ガス中の極性ガス成分の濃度を分析する（吸光光度分析）。
【００４６】
（２−１）試料ガス中の極性ガス濃度分析
ここで、ガス分析装置１００を用いて極性ガス成分の濃度分析を行う前に、後述する、ガス分析装置１００のゼロ点補正及びスパン校正はすでに行われているものとする。
【００４７】
まず、ユーザーにより、分析部８の端末を用いて、試料ガスサンプリング空間２２の温度（測定温度）などの測定条件が設定される。測定条件の設定終了後、ユーザーが端末に測定開始の指令を出す。端末に入力された測定開始の指令は、インターフェース部に送信される。このとき、端末から測定開始の指令とともに、設定した測定条件をインターフェース部に送信するようにしてもよいし、以下のガス分析装置１００の動作ごとにインターフェース部が端末に対して、測定条件の送信を要求するようにしてもよい。
【００４８】
ユーザーによる測定開始の指令後、ガス分析装置１００は、プローブ管２の外壁に設置された温度調節部２４により、試料ガスサンプリング空間２２が設定された測定温度になるように温度を調整する。なお、プローブ管２の外側の空間は煙道５０の一部であるので、煙道５０の熱を有効利用できる。
【００４９】
例えば、測定温度は、１５０℃以上、４００℃以下の範囲で設定できるようにする。測定温度は、極性ガスと試料ガス中の極性ガス以外の成分（共存ガス）との反応と、測定感度の過剰な減少により、極性ガスへの指示誤差が発生しない範囲に設定する。すなわち、共存ガスに含まれる成分に応じて最適な測定温度を設定する。
例えば、測定対象の極性ガスがアンモニアの場合、共存ガスに硫黄酸化物（ＳＯｘ）が含まれるときは、３２０℃以上、４００℃以下に設定する。この場合、３２０℃以下になると、アンモニアと硫黄酸化物（ＳＯｘ）とが反応し、硫酸アンモニウム（硫安、（ＮＨ4）2ＳＯ4）が生成する。例えば、また、共存ガスに窒素酸化物（ＮＯｘ）が含まれるときは、１８０℃以上、４００℃以下に設定する。この場合、１８０℃以下になると、アンモニアと窒素酸化物（ＮＯｘ）とが反応し、硝酸アンモニウム（硝安、ＮＨ4ＮＯ3）が生成する。
【００５０】
なお、試料ガスサンプリング空間２２を測定温度に調整する前に、試料ガスサンプリング空間２２を測定温度よりも高い温度に設定し、数分から数時間程度その温度を保持しておくこともできる。これにより、これまでのガス濃度分析により試料ガスサンプリング空間２２中に堆積した、極性ガスとそれ以外の成分との生成物を分解し除去することができる。また、試料ガスサンプリング空間２２の壁表面に吸着したガスを、壁表面から離脱させることもできる。
【００５１】
試料ガスサンプリング空間２２が設定された測定温度に調整された後、ガス分析装置１００の吸引装置１６により、試料ガスサンプリング空間２２を吸引減圧する。これにより、煙道５０内のガス圧力と試料ガスサンプリング空間２２の圧力の間に差が生じ、煙道５０内のガスＳが、試料ガス導入部４によってプローブ管２の試料ガスサンプリング空間２２へ試料ガスとして取り込まれる。
【００５２】
試料ガス導入部４には、粉塵捕獲フィルタ４６が設けられているため、煙道５０内から採取された試料ガス中の粉塵は、試料ガスが試料ガス導入部４を通過する間に除去される。これにより、試料ガスサンプリング空間２２には、粉塵が混入していない試料ガスが取り込まれる。このため、試料ガスサンプリング空間２２の壁２６の光学的に透明の部材や試料ガスサンプリング空間２２に設置された光反射手段２８といった光学系の汚染を抑制することができる。また、測定光が、試料ガスを通過中に、試料ガスに混入した粉塵により乱反射を起こすことを防ぐこともできる。
【００５３】
また、煙道５０と試料ガスサンプリング空間２２との間にはガス流量制限部４８が設けられているので、試料ガスサンプリング空間２２は、煙道５０内の圧力変動の影響を受けにくくなっており、かつ、試料ガスサンプリング空間２２をさらに減圧できる。このため、試料ガス中の極性ガス濃度分析中は、試料ガスサンプリング空間２２を一定の圧力（例えば、１０ｋＰａ）に減圧することができる。
【００５４】
試料ガスサンプリング空間２２の圧力は、試料ガス導入部４の配管抵抗と吸引装置１６の吸引能力とのバランスにより決まるある一定値に保持される。吸引装置１６が流量調整機構を備えている場合は、さらに、吸引装置１６の吸引能力を調整しつつ、試料ガスサンプリング空間２２を吸引減圧することができる。これにより、試料ガスサンプリング空間２２を所定の一定圧力に精度よく保持することができる。この場合、試料ガスサンプリング空間２２がユーザーにより設定された圧力になるように、吸引装置１６の流量調整機構の電磁弁開度などがフィードバック制御される。
【００５５】
このようにして、試料ガスサンプリング空間２２が一定の圧力に減圧され、吸光スペクトルの線幅が細くなるので、極性ガスの濃度測定時、測定対象である極性ガスの吸光スペクトルが水分など共存ガスの干渉影響を受けにくくなる。よって、極性ガスが低濃度であった場合でも正確に極性ガス濃度を測定できる。
【００５６】
試料ガスサンプリング空間２２の温度及び圧力が設定された値になった後、光学ユニット６の照射部６２から測定光が試料ガスサンプリング空間２２内の試料ガスに入射される。試料ガスサンプリング空間２２内の試料ガスを通過した測定光は、光学ユニット６の受光部６４により受光される。
【００５７】
（２−２）ゼロ点補正及びスパン校正
ガス分析装置１００により極性ガスの濃度を精度よく測定することを目的として、ガス分析装置１００のゼロ点補正及びスパン校正を行う。ゼロ点補正とは、極性ガスが試料ガス中に存在していないガス（ゼロガス）のガス分析装置１００で得られる測定値を、ガス分析装置１００のベースラインとするガス分析装置１００の校正のことをいう。スパン校正とは、極性ガスの濃度が分かっているスパンガスをガス分析装置１００を用いて測定した結果と、ゼロ点補正結果とに基づいて、ガス分析装置１００の極性ガス濃度に対する指示値の校正を行うことをいう。
【００５８】
ゼロガスとしては、試料ガスの主成分ガスを用いることができる。例えば、乾燥空気や窒素などのガスを用いることができる。スパンガスとしては、極性ガスがある決まった濃度でゼロガスに混合された混合ガスを用いることができる。スパンガスは、スパンガスとして予め用意しておいてもよいし、ゼロ点補正後に、ゼロガスに極性ガスを追加して試料ガスサンプリング空間２２に導入するようにして作り出してもよい。
【００５９】
ガス分析装置１００のゼロ点補正は以下の手順で行う。まず、試料ガス導入部４の校正用ガス導入管４４から、試料ガス導入室４１、粉塵捕獲フィルタ４６、ガス流量制限部４８を経て、試料ガスサンプリング空間２２にゼロガスを導入する。このとき、ゼロガスは煙道５０内の圧力以上の一定の圧力で導入される。これにより、ゼロ点補正時に、煙道５０内を流れるガスＳが試料ガスサンプリング空間２２に流入することを妨げる。つまり、例えばボイラー運転中にも校正が可能になっている。
【００６０】
このとき、ゼロガスが試料ガスサンプリング空間２２に導入されやすくするために、吸引装置１６で試料ガスサンプリング空間２２を吸引しながら、ゼロガスの導入を行ってもよい。又は、吸引管１０の一部にガス排気口を設け、ゼロ点補正及びスパン校正時には、ゼロガス及びスパンガスを、当該ガス排気口から排気するようにしてもよい。
【００６１】
ゼロガスが試料ガスサンプリング空間２２に導入された後、光学ユニット６の照射部６２から試料ガスサンプリング空間２２のゼロガスに向けて測定光を照射し、受光部６４でゼロガスを通過した測定光の強度を測定する。当該測定結果に基づき、ガス分析装置１００のベースラインを決定する。決定されたベースラインは分析部８に記憶される。
【００６２】
ガス分析装置１００のスパン校正は以下の手順で行う。まず、校正用ガス導入管４４から、煙道５０内の圧力以上の一定の圧力でスパンガスを試料ガスサンプリング空間２２に導入する。このときも、ゼロ点補正時と同様、吸引装置１６で試料ガスサンプリング空間２２を吸引しながらスパンガスを導入してもよいし、吸引管１０の一部に設けられたガス排気口から排気するようにしてもよい。
【００６３】
その後、光学ユニット６の照射部６２から試料ガスサンプリング空間２２のスパンガスに向けて測定光を照射し、受光部６４でスパンガスを通過した測定光の強度を測定する。当該測定結果と、分析部８に記憶されたベースラインとに基づいて、ガス分析装置１００の極性ガス濃度に対する指示値の校正を行う。校正結果は分析部８に記憶される。
【００６４】
ガス分析装置１００の極性ガスに対する指示値が、極性ガスの濃度に対して線形的に変化する場合は、一種類のスパンガス（想定される最大濃度で極性ガスが混合されたスパンガス）のみを用いてスパン校正すればよい。ガス分析装置１００の極性ガスに対する指示値が、極性ガスの濃度に対して非線形的に変化する場合は、極性ガスの混合濃度が異なる数種類のスパンガスを用いてスパン校正すればよい。この場合、スパン校正時に測定しなかった濃度の極性ガスに対する指示値は、その濃度近辺の２つのスパン校正結果を用いて補間することにより求めることができる。
【００６５】
上記のゼロ点補正及びスパン校正を行う際、試料ガスサンプリング空間２２は、試料ガス中の極性ガス濃度分析時に設定する温度と圧力にすることができる。これにより、ゼロ点補正及びスパン校正を行ったのと同じ温度、圧力条件で、極性ガス濃度分析を行うことになるため、極性ガス濃度分析時に測定値の温度及び圧力による補正を省略することができる。
【００６６】
（３）実施形態の作用効果
ガス分析装置１００（ガス分析装置の一例）は、煙道内を流れるガスＳ中の極性ガス成分濃度を分析する装置であって、プローブ管２と、試料ガス導入部４と、照射部６２と、受光部６４と、吸引管１０、吸引装置１６と、を有している。プローブ管２（プローブ管の一例）は、少なくとも一部が煙道５０内に配置され、試料ガスサンプリング空間２２（試料ガスサンプリング空間の一例）を有する。試料ガス導入部４（試料ガス導入部の一例）は、プローブ管２の先端部に配置され、煙道５０内を流れるガスを試料ガスサンプリング空間２２に減圧し導入する。照射部６２（照射部の一例）は、試料ガスサンプリング空間２２中へ測定光を照射する。受光部６４（受光部の一例）は、試料ガスサンプリング空間２２を通過した測定光を受光する。吸引管１０（吸引部の吸引管の一例）は、吸引装置１６（吸引部の吸引装置の一例）に接続され、プローブ管２の試料ガスサンプリング空間２２に対応する部分に設けられ、試料ガスサンプリング空間２２を吸引するために用いられる。
煙道５０内を流れるガスは、試料ガスサンプリング空間２２を吸引部により吸引することで、試料ガス導入部４によって取り込まれ、さらにプローブ管２の試料ガスサンプリング空間２２中に導入される。その状態で、照射部６２が試料ガスサンプリング空間中へ測定光を照射して、受光部６４が試料ガスサンプリング空間２２を通過した測定光を受光する。以上に述べた測定時において、煙道５０内を流れるガスから取り込まれた試料ガスが試料ガス導入部を通過する間に、試料ガス導入部の圧損により、試料ガスは減圧されて試料ガスサンプリング空間内に導入される。この結果、減圧になると吸光スペクトルの線幅が細くなることから、極性ガスの吸光スペクトルが水分などの共存ガスの干渉影響を受けにくくなる。よって、極性ガスが低濃度であった場合でも正確に極性ガス濃度を測定することができる。また、プローブ管２の少なくとも一部が煙道５０内に配置されているので、試料ガスを短い距離で試料ガスサンプリング空間２２中に取り込むことができる。これにより、極性ガスのサンプリングロスを最小限にでき、その結果、極性ガスが低濃度であった場合でも極性ガスの濃度を正確に測定できる。さらに、試料ガスサンプリング開始から試料ガスが試料ガスサンプリング空間２２内へ到達するまでの時間が短くなるので、極性ガスの濃度をリアルタイムに測定できる。
【００６７】
ガス分析装置１００は、プローブ管２の外壁の、試料ガスサンプリング空間２２に対応した領域に設けられた温度調節部２４（温度調節部の一例）をさらに備えている。
温度調節部２４によって、試料ガスサンプリング空間２２内を一定の温度に保持することができる。これにより、煙道５０内の温度が高い場合、試料ガスサンプリング空間２２内の温度を、試料ガス中に共存する他の成分（例えば、ＳＯｘ、ＮＯｘなど）と極性ガスの反応物の生成を抑制できる温度まで下げて極性ガスの濃度を測定できる。この結果、測定感度の低下を抑制できる。これにより、極性ガスの濃度を正確に測定することができる。
【００６８】
例えば、測定対象の極性ガスがアンモニアで、共存ガスに水分が存在する場合、アンモニアの吸光スペクトルと水分の吸光スペクトルとが干渉する。その結果、正確にアンモニア濃度を測定できなくなる。アンモニアの吸光スペクトル強度は温度に対して指数関数的に減少する一方、水分の吸光スペクトル強度は温度に対して指数関数的に増加する。したがって、吸光スペクトルからアンモニア濃度を測定する場合には、測定温度をなるべく低くし、水分による吸光スペクトルがアンモニアの吸光スペクトルに干渉する度合いを低く抑える。すなわち、煙道５０内の温度が、極性ガスと試料ガス中に共存する他の成分とが反応する温度より高い場合には、極性ガスと他の成分とが反応しない温度の下限まで温度を下げてアンモニアガスの濃度測定を行う。これにより、アンモニアガスの濃度を正確に測定することができる。
【００６９】
本実施形態において、試料ガス導入部４（試料ガス導入部の一例）は、ガス流量制限部４８（ガス流量制限部の一例）を有している。
試料ガス導入部４のガス流量制限部４８は、試料ガス導入部４の圧損をさらに大きくできる。これにより、試料ガスサンプリング空間２２の圧力が煙道５０内の圧力変化の影響を受けにくくなり、かつ、試料ガスサンプリング空間２２をさらに減圧できる。試料ガスサンプリング空間２２を圧力を一定に保ちつつ減圧にすることができる。つまり、圧力による測定値の影響がなくなり、その結果、低濃度の極性ガスの濃度を正確に測定できる。
【００７０】
例えば、測定対象の極性ガスがアンモニアで、共存ガスに水分が存在する場合、上記のように、アンモニアの吸光スペクトルと水分の吸光スペクトルが干渉する。この場合、試料ガスサンプリング空間２２を一定の圧力で減圧にしつつ吸光スペクトルを測定すると、アンモニアの吸光スペクトルの線幅および水分の吸光スペクトルの線幅がより細くなる。この結果、アンモニアの吸光スペクトルと水分の吸光スペクトルの重なり合いが小さくなる。これにより、アンモニアガスの濃度を正確に測定することができる。
【００７１】
本実施形態において、試料ガス導入部４（試料ガス導入部の一例）は、粉塵捕獲フィルタ４６（粉塵捕獲フィルタの一例）を有している。試料ガス導入部４の粉塵捕獲フィルタ４６は、煙道５０内を流れるガス中に含まれる粉塵成分を捕獲する。
したがって、粉塵成分が試料ガスサンプリング空間２２内へ導入されにくくなる。これにより、光学系の汚染を抑制でき、また、測定光が粉塵により乱反射を起こすことを防ぐことができる。以上の結果、極性ガスの濃度を正確に測定できる。
【００７２】
本実施形態において、試料ガス導入部４（試料ガス導入部の一例）は、プローブ管２（プローブ管の一例）の先端部に設けられた試料ガス導入室４１（試料ガス導入室の一例）と、試料ガス導入室４１から煙道５０内に延びる試料ガス採取部材４２（試料ガス採取部材の一例）とを有している。また、試料ガス導入室４１は、煙道の圧力以上の圧力で校正用ガスを導入するために用いられる校正用ガス導入管４４（校正用ガス導入管の一例）を有している。
ガス分析装置１００では、校正用ガス導入管４４から試料ガス導入室４１に校正用ガスが導入されると、校正用ガスは試料ガスサンプリング空間２２内に流れる。この状態で、実ガス（試料ガスの主成分ガス、極性ガスなど）によるガス分析装置１００の校正（ゼロ点補正、スパン校正など）が行われる。なお、以上の校正は、ガス分析装置１００を煙道５０から取り外すことなく、行われる。
【００７３】
（４）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
前記実施形態では、プローブ管２概ね全体が煙道５０内に配置されているが、本発明はそのような実施形態に限定されない。プローブ管は基端側の部分が煙道から外に突出していてもよい。
前記実施形態では、試料ガス導入部４のみがガスＳの流路に配置されているが、本発明はそのような実施形態に限定されない。試料ガス導入部が側壁５１の孔部５１ａ内に収納されていてもよいし、逆に、プローブ管の先端部分も試料ガス導入部と共にガスＳの流路に配置されていてもよい。
【産業上の利用可能性】
【００７４】
本発明に係るガス分析装置は、試料ガス中の極性ガス成分の濃度を分析するガス分析装置に広く適用できる。
【符号の説明】
【００７５】
１００  ガス分析装置
２     プローブ管
２０   フランジ
２２   試料ガスサンプリング空間
２４   温度調節部
２４１ 温度コントローラ
２６   壁
４     試料ガス導入部
４１   試料ガス導入室
４２   試料ガス採取部材
４４   校正用ガス導入管
４６   粉塵捕獲フィルタ
４８   ガス流量制限部
６     光学ユニット
６２   照射部
６４   受光部
８     分析部
１０   吸引管
１２   ブローバックライン
１６   吸引装置
１８   ガス供給部
５０   煙道
５１   煙道側壁
５１ａ 孔部
５２   筒状部材
Ｓ     煙道を流れるガス
【図１】
2014002072.tif 000003
【図２】
2014002072.tif 000004
【図３】
2014002072.tif 000005
【図４】
2014002072.tif 000006